(57)【要約】【課題】ＣＡＶ再生を行う光ディスク記録再生装置において、高速に再生できる光ディスク記録再生方法を提供すること。【解決手段】光ディスク媒体の最外周に位置する記録可能な記録トラックを把握するステップ１０２と、前記ステップ１０２で把握した記録トラック位置を記録終了点とするユーザから記録要求される情報の記録開始位置を算出するステップ１０４を有することにより、ユーザから記録要求される情報を光ディスク媒体の外周部に記録する。【選択図】　図１
2004134022.tif 000002
【特許請求の範囲】
【請求項１】
ディスク媒体の記録状態を把握する第１のステップと、記録要求される情報を配置するための前記光ディスク媒体の記録可能な記録トラック最外周の位置を把握する第２のステップと、前記記録要求される情報の内容と容量とを把握する第３のステップと、前記第２のステップで把握した記録トラック位置を記録終了点とし、前記第３のステップの結果に基づいて前記記録要求される情報の記録開始位置を算出する第４のステップと、前記第４のステップで算出した記録開始位置と前記第３のステップの結果に基づいて記録再生制御情報を作成する第５のステップと、前記記録要求される情報と前記第５のステップで作成した記録再生制御情報を前記光ディスク媒体に記録する第６のステップを有ることを特徴とした光ディスク記録再生方法。
【請求項２】
前記光ディスク媒体は、螺旋状または同心円状の記録トラックを有し、前記記録トラックは記録位置を特定可能なアドレスを有することを特徴とする請求項１記載の光ディスク記録再生方法。
【請求項３】
前記第１のステップは、前記光ディスク媒体の記録可能領域および使用領域を把握することを特徴とする請求項１記載の光ディスク記録再生方法。
【請求項４】
前記記録再生制御情報は、光ディスク媒体に既に記録されている情報の記録位置や記録容量が特定可能な情報であることを特徴とする請求項１記載の光ディスク記録再生方法。
【請求項５】
光ディスク媒体の記録状態を把握する第１のステップと、記録要求される情報を配置するための前記光ディスク媒体の記録可能な記録トラック最外周の位置を把握する第２のステップと、前記光ディスク媒体の内周部に配置された第１の記録再生制御情報に反回転フラグを記録する第３のステップと、前記記録要求される情報の制御情報を記録する第２の記録再生制御情報を前記光ディスク媒体の外周部に割り当てる第４のステップと、前記反回転フラグに応じて前記光ディスク媒体の回転方向を制御する第５のステップと、前記記録要求される情報と前記第２の記録再生制御情報とを前記光ディスク媒体に記録する第６のステップを有することを特徴とした光ディスク記録再生方法。
【請求項６】
前記光ディスク媒体は、螺旋状または同心円状の記録トラックを有し、前記記録トラックは記録位置を特定可能なアドレスを有することを特徴とする請求項５記載の光ディスク記録再生方法。
【請求項７】
前記第１のステップは、前記光ディスク媒体の記録可能領域および使用領域を把握することを特徴とする請求項５記載の光ディスク記録再生方法。
【請求項８】
前記記録再生制御情報は、光ディスク媒体に既に記録されている情報の記録位置や記録容量が特定可能な情報であることを特徴とする請求項５記載の光ディスク記録再生方法。
【請求項９】
前記第５のステップは、前記光ディスク媒体に形成された記録トラック走査において、前記記録トラックの走査が外周から内周に向うように光ディスク媒体を回転させることを特徴とする請求項５記載の光ディスク記録方法。
【請求項１０】
光ディスク媒体内周から外周に向ってトラック走査を行い信号の再生を開始する第１のステップと、前記光ディスクに存在する欠陥を検出する第２のステップと、前記第２のステップの欠陥検出結果を判断する第３のステップと、前記第３のステップで欠陥の存在を判断した場合に、その欠陥部分を再生できたか否かを判断する第４のステップと、前記第４のステップで再生できなかったと判断した場合、信号の再生を停止する第５のステップと、前記信号の再生を停止した後、前記光ディスク媒体の回転方向を反転させる第６のステップと、前記第４のステップにて再生できなかったと判断した情報を再生する第７のステップを有するとことを特徴とする光ディスク再生方法。
【請求項１１】
前記光ディスク媒体は、螺旋状または同心円状の記録トラックを有し、前記記録トラックは記録位置を特定可能なアドレスを有することを特徴とする請求項１０記載の光ディスク再生方法。
【請求項１２】
前記第６のステップは、前記光ディスク媒体に形成された記録トラック走査において、前記記録トラックの走査が外周から内周に向うように光ディスク媒体を回転させることを特徴とする請求項１０記載の光ディスク再生方法。
【発明の詳細な説明】
【０００１】
【発明の属する技術分野】
本発明は光ディスク媒体の螺旋状のトラックまたは、複数の同心円状のトラックへ情報を記録再生する方法または装置に関するものである。
【０００２】
【従来の技術】
光ディスク媒体は、ＣＤ−ＲＯＭやＤＶＤ−ＲＯＭ等に代表される再生専用型光ディスク媒体と、ＣＤ−Ｒ／ＲＷやＤＶＤ−Ｒ／ＲＷ／ＲＡＭ等に代表される追記や書換え可能な記録再生型光ディスク媒体があり、光ディスク媒体へ記録された情報は、図１０に示すような光ディスク媒体に形成されている螺旋状のトラック上に存在する。
【０００３】
再生専用型光ディスク媒体への記録方法は、線速度を一定に保つＣＬＶ（Ｃｏｎｓｔａｎｔ　Ｌｉｎｅａｒ　Ｖｅｌｏｃｉｔｙ）方式が主流であり、記録情報をスタンパ等で光ディスク媒体のトラック上へ記録する。前記ＣＬＶ方式は、光ディスク媒体の回転速度制御を常に行うことによって線速度を一定に保ち、光ディスク媒体全領域で記録密度が一様であるといった特徴を有している。また、記録再生型光ディスク媒体への記録方法は、主にＣＬＶ方式、半径方向で幾つかに分割した領域（以降、前記領域をＺＯＮＥと呼ぶ）毎に線速度を一定に保つＺＣＬＶ（Ｚｏｎｅ　Ｃｏｎｓｔａｎｔ　Ｌｉｎｅａｒ　Ｖｅｌｏｃｉｔｙ）方式、ＺＯＮＥ毎に角速度を一定に保つＺＣＡＶ（Ｚｏｎｅｄ　Ｃｏｎｓｔａｎｔ　Ａｎｇｕｌａｒ　Ｖｅｌｏｃｉｔｙ）方式が用いられ、レーザ光の照射によって記録材料薄膜を加熱しピット形成、相変化、あるいは磁化反転を生じさせて光ディスク媒体のトラック上へ情報を記録する。前記ＺＣＬＶ方式は、ＣＬＶ方式のように光ディスク媒体全面で記録密度が一様であるといった特徴は同じであるが、光ディスク媒体の回転速度制御をＺＯＮＥごとに行うことによって回転速度制御レンジを狭くし、光ディスク媒体の回転速度制御を容易にできる特徴を持っている。次に前記ＺＣＡＶ方式は、ＺＯＮＥ内での光ディスク媒体の回転速度を一定に保ち、ＺＯＮＥ内でトラック一周当たりの記録容量が同じであるといった特徴を有し、光ディスク媒体の外周に配置されるＺＯＮＥほどトラック一周当たりの記録容量が増加する特徴を有する。
【０００４】
この様に光ディスク媒体への記録方法は、記録容量の損失を避けるため、光ディスク媒体の外周に配置されたトラックほどトラック一周当たりの記録容量が大きいと言う特徴を有しており、図１１に示すように、光ディスク媒体の最内周部には光ディスク媒体への記録再生制御するための情報を記録する記録再生制御情報領域、それに続く外周側の領域にはユーザ情報（ユーザが光ディスク媒体へ記録したい情報）を記録するユーザ情報領域が配置され、図１２に示すように、ユーザ情報はユーザ情報領域の最内周から外周へ向かって順次記録される。ただし、マルチセッション方式で記録される場合、複数の記録再生制御情報領域とユーザ情報領域の対が存在し、ユーザ情報領域の外周部にも記録再生制御情報領域が配置される（例えば特許文献１参照。）。
【０００５】
前記記録方法で記録された光ディスク媒体の記録情報の再生方法は、光ディスク媒体の回転速度を一定に保つＣＡＶ（Ｃｏｎｓｔａｎｔ　Ａｎｇｕｌａｒ　Ｖｅｌｏｃｉｔｙ）方式が主流であり、光ディスク媒体外周部ほど単位時間当たりに光ディスク媒体から再生できる記録情報量が多いと言う特徴がある。
【０００６】
また、前記記録方法で記録した光ディスク媒体の記録再生を行う光ディスク記録再生装置においては、光ディスク媒体を一定方向にのみ回転させて記録再生処理を行っており、特に螺旋状のトラックを有する光ディスク媒体においては、トラックの内周から外周へ向かってのみユーザ情報を記録再生することができる。
【０００７】
【特許文献１】
特開平１１−３２８７３７（段落番号（０００１）−（０００７）、第８−９図）
【０００８】
【発明が解決しようとする課題】
しかしながら、前記従来の光ディスク媒体への記録方法では、ユーザ情報の記録はユーザ情報領域の最内周から外周に向かって順次記録されるため、トラック一周当たりの記録容量が少ない部分から順次記録されることになる。したがって、ＣＡＶ方式で光ディスク媒体の記録情報を再生することを前提に考えると、前記従来の光ディスク媒体への記録方法は、単位時間当たりに光ディスク媒体から再生できる情報量が少ない領域に記録するという課題を有していた。また、前記従来の光ディスク媒体への記録方法では、ＣＡＶ方式の光ディスク再生装置において最も高速再生可能なユーザ情報領域へ記録できないと言う問題があった。
【０００９】
また、傷等の欠陥を有する光ディスク媒体の再生においては、欠陥の影響を受けて欠陥直後の再生可能なユーザ情報が再生できないという特徴があり、従来の光ディスク記録再生方法では、光ディスク媒体の回転方向が一定であるため、同じユーザ情報が欠陥の影響を受けて再生できないという問題があった。本発明は、前記従来の課題を解決するもので、光ディスク媒体の再生性能向上を目的とした光ディスク記録方法および再生方法を提供することを目的とする。
【００１０】
【課題を解決するための手段】
前記従来の課題を解決するために、本発明の光ディスク記録再生方法は、予め記録再生しようとする光ディスク媒体の記録状態を把握することによって、前記光ディスク媒体の記録可能な最外周位置、記録可能な容量および、既に記録されている情報の配置を認識する第１の手段と、従来の光ディスク回転方向とは逆方向に回転させる第２の手段を有し、前記光ディスクへ情報を記録する際は、記録要求される情報の容量が、前記第１の手段で認識した前記光ディスク媒体の記録可能な容量を越えない場合、前記記録要求された情報の記録終位置が前記手段で認識した前記光ディスク媒体の記録可能な最外周位置となる記録開始位置を割り出し、前記記録開始位置から前記光ディスク媒体の記録可能な最外周位置へ向って記録要求された情報を記録することを特徴とする、光ディスク記録再生方法である。
【００１１】
さらに、前記第２の手段で前記光ディスク媒体を回転させることによって、前記第１の手段で認識した光ディスク媒体の記録可能な最外周位置を記録開始位置として、前記光ディスク媒体の内周方向へ記録することを特徴とする、光ディスク記録再生方法である。
すなわち、本発明の光ディスク記録再生方法は、前記第１の手段と前記代２の手段を用いて、前記光ディスク媒体の外周部へ情報を記録し、前記記録した情報を再生することを特徴とする。
【００１２】
前記従来の課題を解決するために、本発明の光ディスク記録再生方法は、予め前記光ディスク媒体の記録状態を把握しておき、記録要求される情報の容量を基に、前記光ディスク媒体の記録可能な最外周位置に、記録要求される情報を配置することで、再生時に高速に情報を読み出すことが出来る。
【００１３】
【発明の実施の形態】
請求項１に記載の発明は、ディスク媒体の記録状態を把握する第１のステップと、記録要求される情報を配置するための前記光ディスク媒体の記録可能な記録トラック最外周の位置を把握する第２のステップと、前記記録要求される情報の内容と容量とを把握する第３のステップと、前記第２のステップで把握した記録トラック位置を記録終了点とし、前記第３のステップの結果に基づいて前記記録要求される情報の記録開始位置を算出する第４のステップと、前記第４のステップで算出した記録開始位置と前記第３のステップの結果に基づいて記録再生制御情報を作成する第５のステップと、前記記録要求される情報と前記第５のステップで作成した記録再生制御情報を前記光ディスク媒体に記録する第６のステップを有ることを特徴とした光ディスク記録再生方法であり、前記光ディスク媒体の外周部から情報が記録できるため、前記光ディスク媒体へ記録された情報を高速に再生することができるという効果が得られる。
【００１４】
請求項２に記載の発明は、前記光ディスク媒体は、螺旋状または同心円状の記録トラックを有し、前記記録トラックは記録位置を特定可能なアドレスを有することを特徴とする請求項１記載の光ディスク記録再生方法であり、前記光ディスク媒体の外周部から情報が記録できるため、前記光ディスク媒体へ記録された情報を高速に再生することができるという効果が得られる。
【００１５】
請求項３に記載の発明は、前記第１のステップは、前記光ディスク媒体の記録可能領域および使用領域を把握することを特徴とする請求項１記載の光ディスク記録再生方法であり、前記記録要求される情報を配置するための前記光ディスク媒体の記録可能な記録トラック最外周の位置を把握することができるため、前記光ディスク媒体の記録可能の記録トラック最外周部への記録が可能であるという効果が得られる。
【００１６】
請求項４に記載の発明は、前記記録再生制御情報は、光ディスク媒体に既に記録されている情報の記録位置や記録容量が特定可能な情報であることを特徴とする請求項１記載の光ディスク記録再生方法であり、前記光ディスク媒体の記録状態が把握できるため、前記光ディスク媒体への記録可能領域および、記録可能容量を認識できるという効果が得られる。
【００１７】
請求項５に記載の発明は、光ディスク媒体の記録状態を把握する第１のステップと、記録要求される情報を配置するための前記光ディスク媒体の記録可能な記録トラック最外周の位置を把握する第２のステップと、前記光ディスク媒体の内周部に配置された第１の記録再生制御情報に反回転フラグを記録する第３のステップと、前記記録要求される情報の制御情報を記録する第２の記録再生制御情報を前記光ディスク媒体の外周部に割り当てる第４のステップと、前記反回転フラグに応じて前記光ディスク媒体の回転方向を制御する第５のステップと、前記記録要求される情報と前記第２の記録再生制御情報とを前記光ディスク媒体に記録する第６のステップを有することを特徴とした光ディスク記録再生方法であり、前記光ディスク媒体の外周から内周へ向って情報を記録可能できるため、前記光ディスク媒体へ記録された情報を高速に再生することができるという効果が得られる。
【００１８】
請求項６に記載の発明は、前記光ディスク媒体は、螺旋状または同心円状の記録トラックを有し、前記記録トラックは記録位置を特定可能なアドレスを有することを特徴とする請求項５記載の光ディスク記録再生方法であり、前記光ディスク媒体の外周から内周へ向って情報を記録可能できるため、前記光ディスク媒体へ記録された情報を高速に再生することができるという効果が得られる。
【００１９】
請求項７に記載の発明は、前記第１のステップは、前記光ディスク媒体の記録可能領域および使用領域を把握することを特徴とする請求項５記載の光ディスク記録再生方法であり、前記記録要求される情報を配置するための前記光ディスク媒体の記録可能な記録トラック最外周の位置を把握することができるため、前記光ディスク媒体の記録可能の記録トラック最外周部への記録が可能であるという効果が得られる。
【００２０】
請求項８に記載の発明は、前記記録再生制御情報は、光ディスク媒体に既に記録されている情報の記録位置や記録容量が特定可能な情報であることを特徴とする請求項５記載の光ディスク記録再生方法であり、前記光ディスク媒体の記録状態が把握できるため、前記光ディスク媒体への記録可能領域および、記録可能容量を認識できるという効果が得られる。
【００２１】
請求項９に記載の発明は、前記第５のステップは、前記光ディスク媒体に形成された記録トラック走査において、前記記録トラックの走査が外周から内周に向うように光ディスク媒体を回転させることを特徴とする請求項５記載の光ディスク記録方法であり、前記光ディスク媒体の外周から内周方向へ記録再生可能であるため、前記光ディスク媒体へ記録された情報を高速に再生することができるという効果が得られる。
【００２２】
請求項１０に記載の発明は、光ディスク媒体内周から外周に向ってトラック走査を行い信号の再生を開始する第１のステップと、前記光ディスクに存在する欠陥を検出する第２のステップと、前記第２のステップの欠陥検出結果を判断する第３のステップと、前記第３のステップで欠陥の存在を判断した場合に、その欠陥部分を再生できたか否かを判断する第４のステップと、前記第４のステップで再生できなかったと判断した場合、信号の再生を停止する第５のステップと、前記信号の再生を停止した後、前記光ディスク媒体の回転方向を反転させる第６のステップと、前記第４のステップにて再生できなかったと判断した情報を再生する第７のステップを有するとことを特徴とする光ディスク再生方法であり、前記光ディスクに存在する欠陥の影響を受けて再生できなかった情報が再生可能となるため、欠陥の存在する前記光ディスクに対する再生能力が向上できるという効果が得られる。
【００２３】
請求項１１に記載の発明は、前記光ディスク媒体は、螺旋状または同心円状の記録トラックを有し、前記記録トラックは記録位置を特定可能なアドレスを有することを特徴とする請求項１０記載の光ディスク再生方法であり、前記光ディスク媒体に記録された情報の位置が特定できるため、前記光ディスク媒体に記録されている任意の情報から再生できるという効果が得られる。
【００２４】
請求項１２に記載の発明は、前記第６のステップは、前記光ディスク媒体に形成された記録トラック走査において、前記記録トラックの走査が外周から内周に向うように光ディスク媒体を回転させることを特徴とする請求項１０記載の光ディスク再生方法であり、前記光ディスクに存在する欠陥の影響を受けて再生できなかった情報が再生可能となるため、欠陥の存在する前記光ディスクに対する再生能力が向上できるという効果が得られる
（実施の形態１）
以下に、本発明の光ディスク記録方法および再生方法の実施の形態を図面とともに詳細に説明する。
【００２５】
図１は、本発明の第１の実施例における光ディスク記録方法の処理フローを示すものであり、図２、図３および、図４は、本発明の第１の実施例における光ディスク記録方法の処理過程における光ディスク媒体の状態を示すものである。
【００２６】
図１において、光ディスク媒体の情報把握１０１は、記録可能な光ディスク媒体のユーザ情報領域の容量、前記光ディスク媒体のユーザ情報領域へ既に記録されている情報の記録位置を把握する処理である。記録可能なユーザ情報領域の最外周アドレス把握１０２は、前記光ディスク媒体の情報把握１０１で把握した前記光ディスク媒体のユーザ情報領域の容量と前記光ディスク媒体のユーザ情報領域へ既に記録されている情報の記録位置を用いて、未記録のユーザ情報領域最外周アドレスおよび、前記光ディスク媒体のユーザ情報領域の未記録容量を把握する処理である。記録するユーザデータ情報内容および容量の把握１０３は、ユーザが指定する前記光ディスク媒体のユーザ情報領域の未記録領域へ記録したいユーザ情報の内容および容量を把握する処理である。
【００２７】
最外周を記録終了点とするユーザ情報領域への記録開始アドレスの算出１０４は、前記記録可能なユーザ情報領域の最外周アドレス把握１０２で把握した前記光ディスク媒体の未記録のユーザ情報領域最外周アドレスと、前記記録するユーザ情報内容および容量の把握１０３で把握した前記光ディスク媒体へ記録するユーザ情報の容量を用いて、前記光ディスク媒体へ記録するユーザ情報の記録終了位置が前記光ディスク媒体の未記録のユーザ情報領域最外周アドレスと一致するような記録開始アドレスを算出する処理である。
【００２８】
記録再生制御情報（ＬＥＡＤ−ＩＮ情報）の作成１０５は、前記光ディスク媒体の情報把握１０１で把握した前記光ディスク媒体のユーザ情報領域へ既に記録されている情報の記録位置と前記記録するユーザデータ情報内容および容量の把握１０３で把握したユーザが指定する記録したいユーザ情報の内容および容量を用いて、前記光ディスク媒体の情報把握１０１や前記光ディスク媒体の再生時に参照する記録再生制御情報を作成し、また、光ディスク媒体の情報把握１０１で把握した情報を前記作成した記録再生制御情報に基づいて更新する処理である。記録再生制御情報およびユーザ情報の記録１０６は、前記記録再生制御情報（ＬＥＡＤ−ＩＮ情報）の作成１０５で作成した記録再生制御情報を記録再生情報領域へ記録し、ユーザが指定するユーザ情報を前記光ディスク媒体のユーザ情報領域の未記録トラックへ記録する処理である。
【００２９】
図２において、ＣＤ−Ｒディスク２０１は、記録可能な光ディスク媒体である。ＬＥＡＤ−ＩＮ領域の開始フレームアドレス２０２は、ＣＤ−Ｒディスク２０１に記録された情報の内容が記録されるＬＥＡＤ−ＩＮ領域の開始フレームを示すフレームアドレスである。ＬＥＡＤ−ＯＵＴ領域の記録開始フレームアドレス２０３は、ユーザ情報を記録可能なＣＤ−Ｒディスク最外周の限界点を示すフレームアドレスである。プログラムエリア先頭フレームアドレス２０４は、ユーザ情報を記録可能なＣＤ−Ｒディスク最内周の限界点を示すフレームアドレスである。ＰＭＡ２０５は、記録途中のＣＤ−Ｒディスクの内容を記録する領域である。ＬＥＡＤ−ＩＮ領域２０６は、ＣＤ−Ｒディスク２０１に記録された情報の内容が記録される領域である。プログラムエリア２０７は、ユーザ情報が記録される領域である。
【００３０】
図３において、未記録最外周フレームアドレス３０１は、ＣＤ−Ｒディスク２０１の未記録プログラムエリアの最外周に位置するフレームアドレスである。プログラムエリア未記録フレーム数３０２は、プログラムエリア２０７に存在する未記録フレーム数である。プログラムエリアの記録部分３０３は、既に記録されているプログラム領域である。記録開始フレームアドレス３０４は、ユーザの要求する情報を記録する開始フレームのフレームアドレスである。各情報のフレーム数の総和３０５は、ユーザの要求する情報を記録するために必要なフレーム数である。
【００３１】
図４において、パディングデータ４０１は、ＣＤ−Ｒディスク２０１のＬＥＡＤ−ＩＮ領域２０６からユーザ記録部分４０２の間に存在する未記録プログラム領域に記録するデータである。ユーザ情報記録部分４０２は、プログラムエリア２０７に記録されたユーザ情報である。
【００３２】
図１に示す上記処理フローで行う光ディスク記録方法について、ＣＤ−Ｒディスクへの記録処理を例にあげて、以下その動作、作用を説明する。
【００３３】
光ディスク媒体の情報把握１０１は、ＣＤ−Ｒディスク２０１製造時にトラックに形成されるＷｏｂｂｌｅへ記録されたＡＴＩＰ（Ａｂｓｏｌｕｔｅ　Ｔｉｍｅ　Ｉｎ　Ｐｒｅ−ｇｒｏｏｖｅ）情報および、ＣＤ−Ｒディスクへユーザ情報を記録する際に前記記録再生情報領域に対応するＬＥＡＤ−ＩＮ領域２０６やＰＭＡ（Ｐｒｏｇｒａｍ　Ｍｅｍｏｒｙ　Ａｒｅａ）２０５へ記録されるＴＯＣ（Ｔａｂｌｅ　Ｏｆ　Ｃｏｎｔｅｎｔｓ）情報から把握する処理である。前記ＡＴＩＰ情報とＴＯＣ情報は、ＣＤ−Ｒディスク記録再生装置によってＣＤ−Ｒディスク２０１から取得可能な情報である。
【００３４】
光ディスク媒体の情報把握１０１で把握する情報は、ＡＴＩＰ情報に記録されているＬＥＡＤ−ＩＮ領域の開始フレームアドレス２０２およびＣＤ−Ｒディスク全面に記録することを前提にしたＬＥＡＤ−ＯＵＴ領域の記録開始フレームアドレス２０３、ＣＤ−Ｒ規格（オレンジブック）に定められた前記ユーザ情報領域に対応するプログラムエリア２０７に記録可能なデータ容量である。ここで、前記プログラムエリア２０７とは、ＬＥＡＤ−ＩＮ領域２０６と前記ＣＤ−Ｒディスク全面に記録することを前提にしたＬＥＡＤ−ＯＵＴ領域に挟まれた領域であり、前記フレームアドレスとは、フレーム（ＣＤ−Ｒディスク上に記録するデータ単位）を特定するためのアドレス情報であり、また、プログラムエリア先頭フレームアドレス２０４はオレンジブックに定められている。また、ＣＤ−Ｒディスク２０１のプログラムエリア２０７にユーザ情報が記録されている場合、光ディスク媒体の情報把握１０１で把握する情報は、前記ＡＴＩＰ情報から把握した情報に加え、ＴＯＣ情報に格納されている記録されたユーザ情報の記録開始フレームアドレスおよび記録終了フレームアドレスである。
【００３５】
光ディスク媒体の情報把握１０１で把握した情報は、記録しようとするＣＤ−Ｒディスク２０１に記録されている現状のディスク状況を把握するもので、以降の処理に用いられる情報である。
【００３６】
次に、記録可能なユーザ情報領域の最外周アドレス把握１０２は、前記光ディスク媒体の情報把握１０１で把握した情報を用いて、プログラムエリアの最外周に位置する未記録のフレームアドレス（以降、未記録最外周フレームアドレス３０１と呼ぶ）とプログラムエリアの未記録容量（以降、プロクラムエリア未記録フレーム数３０２と呼ぶ）を把握する処理である。
【００３７】
記録可能なユーザ情報領域の最外周アドレス把握１０２で把握する未記録最外周フレームアドレス３０１は、未記録のＣＤ−Ｒディスク２０１または従来のＣＤ−Ｒディスク記録再生装置で既に記録されているＣＤ−Ｒディスク２０１において、前記光ディスク媒体の情報把握１０１で把握した”ＣＤ−Ｒディスク２０１全面に記録することを前提にしたＬＥＡＤ−ＯＵＴ領域の記録開始アドレス２０３”−１である。また、本発明の光ディスク記録方法で既に記録されたＣＤ−Ｒディスク２０１において、前記記録可能なユーザ情報領域の最外周アドレス把握１０２で把握する未記録最外周フレームアドレス３０１は、（前記光ディスク媒体の情報把握１０１で把握したユーザ情報の記録開始フレームアドレス）−（ＬＩＮＫブロック＋　”ＲＵＮ−ＩＮブロック”＋　１）である。
【００３８】
記録可能なユーザ情報領域の最外周アドレス把握１０２で把握するプログラムエリア未記録フレーム数３０２は、未記録のＣＤ−Ｒディスク２０１または本発明の本発明の光ディスク記録方法で既に記録されたＣＤ−Ｒディスク２０１において、プログラムエリアの先頭フレームから前記光ディスク媒体の情報把握１０２で把握した未記録最外周フレームアドレス３０１を有するフレームまでのフレーム数である。また、従来のＣＤ−Ｒディスク記録再生装置で既に記録されているＣＤ−Ｒディスク２０１において、光ディスク媒体の情報把握１０１で把握する記録終了フレームアドレスから前記光ディスク媒体の情報把握１０２で把握した未記録最外周フレームアドレス３０１を有するフレームまでのフレーム数である。
【００３９】
記録可能なユーザ情報領域の最外周アドレス把握１０２で把握した情報は、光ディスク媒体の情報把握１０１で把握した情報を解析することによって得られる情報で、以降の処理に用いられる情報である。
【００４０】
次に、記録するユーザ情報内容および容量の把握１０３は、ＣＤ−Ｒディスク２０１の未記録プログラムエリアに記録したいユーザの選択した情報を把握する処理である。
【００４１】
記録するユーザ情報内容および容量の把握１０３で把握する情報は、ユーザから記録要求された情報の種類（オーディオデータまたはコンピュータデータを示し、以降、コントロールデータと呼ぶ）、情報数（以降、トラックナンバーと呼ぶ）および、各情報の容量を各情報毎にフレーム数に換算した各情報のフレーム数である。
【００４２】
記録するユーザ情報内容および容量の把握１０３で把握した情報は、ユーザがＣＤ−Ｒディスク２０１に記録したい情報を解析した情報で、以降の処理に用いられる情報である。
【００４３】
次に、最外周を記録終了点とするユーザ情報領域への記録開始アドレスの算出１０４は、前記記録可能なユーザ情報領域の最外周アドレス把握１０２で把握した未記録最外周フレームアドレス３０１から前記記録するユーザ情報内容および容量の把握１０３で把握した各情報のフレーム数の総和３０５を減算することによって記録開始フレームアドレス３０４を算出する。
【００４４】
最外周を記録終了点とするユーザ情報領域への記録開始アドレスの算出１０４で算出した記録開始フレームアドレス３０４は、本発明の光ディスク媒体の記録方法で記録を開始するフレームアドレスを算出する処理であり、以降の処理に用いられる情報である。
【００４５】
次に、記録再生制御情報（ＬＥＡＤ−ＩＮ情報）の作成１０５は、最外周を記録終了点とするユーザ情報領域への記録開始アドレスの算出１０４で算出した記録開始フレームアドレス３０４と、記録するユーザ情報内容および容量の把握１０３で把握したコントロールデータ、トラックナンバーおよび、各情報のフレーム数を用いて、記録するユーザ情報内容および容量の把握１０３で把握したユーザから記録要求のあった情報に対するＴＯＣ情報をオレンジブックに示された規則に合うように作成すると共に、前記作成したＴＯＣ情報に基づいて光ディスク媒体の情報把握１０１で把握した情報の更新を行う。
【００４６】
ここで、記録再生制御情報（ＬＥＡＤ−ＩＮ情報）の作成１０５で作成するＴＯＣ情報は、ユーザから要求のあった１番目の情報に対するコントロールデータとトラックナンバーと記録開始フレームアドレス３０４を１番目のＴＯＣ情報とし、ユーザから要求のあったｎ番目の情報に対するコントロールデータとトラックナンバーと記録開始フレームアドレス３０４に（ｎ−１）番目までの情報のフレーム数を加算したフレームアドレスをｎ番目のＴＯＣ情報とすることによって作成される。
【００４７】
次に、記録再生制御情報およびユーザ情報の記録１０６は、記録開始フレームアドレス３０４を記録開始フレームとし、ユーザから要求のあった情報をプログラムエリア２０７へ順次記録すると共に、ＬＥＡＤ−ＩＮ領域２０６またはＰＭＡ２０５に記録再生制御情報（ＬＥＡＤ−ＩＮ情報）の作成１０５で作成したＴＯＣ情報を記録する。
【００４８】
ここで、一般的な光ディスク再生専用装置においては、ＣＤ−Ｒディスクに情報を記録することによって形成されるピットを用いてトラックを認識する手段が取られているため、未記録領域のトラックを認識することはできない。そこで、本発明の光ディスク媒体の記録方法は、一般的な光ディスク再生専用装置で再生処理を行う場合には、記録再生制御情報およびユーザ情報の記録１０６において、ＬＥＡＤ−ＩＮ領域２０６から情報を記録したプログラムエリア２０７の間に存在する未記録領域に少なくともフレームアドレス情報を含むパディングデータ４０１を記録する。
【００４９】
以上のように、本実施の形態１においては、ＣＤ−Ｒディスク２０１へ記録する情報をＣＤ−Ｒディスク２０１の外周部分へ記録することによって、ＣＤ−Ｒディスク２０１に記録された情報をＣＡＶ再生で高速に再生することができる。また、マルチセッションと呼ばれる方法で追記するにあたり、ＣＤ−Ｒディスク２０１の内周部分にＬＥＡＤ−ＩＮをまとめることも可能であるため、短時間でＣＤ−Ｒディスク２０１に記録されたＴＯＣ情報を取得可能である。
【００５０】
（実施の形態２）
図５は、本発明の第２の実施例における光ディスク記録方法の処理フローを示すものであり、図６は、本発明の第２の実施例における光ディスク記録方法の処理過程における光ディスク媒体の状態を示すものであり、図７は、本発明の第２の実施例における光ディスク媒体のトラック走査を示すものであり、また、必要に応じて実施の形態１で使用した図面を用いる。
【００５１】
図５において、光ディスク媒体の情報把握５０１は、記録可能な光ディスク媒体の記録状態や記録可能容量を把握する処理である。記録可能なユーザ領域の最外周アドレス把握５０２は、光ディスク媒体が未記録ディスクである場合、前記未記録ディスクの記録可能な最外周アドレスを把握する処理である。第１のＬＥＡＤ−ＩＮ領域への反回転フラグ記録５０３は、本発明の第２の実施例における光ディスク記録方法であることを示すフラグの記録である。第２のＰＭＡおよびＬＥＡＤ−ＩＮ領域割り当て５０４は、本発明の第２の実施例における光ディスク記録方法で用いるＰＭＡおよびＬＥＡＤ−ＩＮ領域を光ディスク媒体上に割り当てる処理である。光ディスク媒体反回転５０５は、光ディスク媒体に形成された螺旋状のトラックの外周から内周へ走査する方向へ光ディスク媒体を回転させる処理である。光ディスク媒体への記録５０６は、ＴＯＣ情報やユーザ情報を光ディスク媒体へ記録する処理である。
【００５２】
図６において、第２のＰＭＡ６０１は、本発明の第２の実施例における光ディスク記録方法で割り当てられるＰＭＡである。第２のＬＥＡＤ−ＩＮ領域６０２は、本発明の第２の実施例における光ディスク記録方法で割り当てられるＬＥＡＤ−ＩＮ領域である。第１のＰＭＡ６０３は、オレンジブックに準拠した領域に割り当てられたＰＭＡである。第１のＬＥＡＤ−ＩＮ領域６０４は、オレンジブックに準拠した領域に割り当てられたＬＥＡＤ−ＩＮ領域である。プログラムエリア６０５は、ユーザ情報が記録される領域である。
【００５３】
図５に示す上記処理フローで行う光ディスク記録方法について、ＣＤ−Ｒディスクへの記録処理を例にあげて、以下その動作、作用を説明する。
【００５４】
光ディスク媒体の情報把握５０１および記録可能なユーザ情報領域の最外周アドレス把握５０２は、それぞれ本発明の第１の実施例に記載のＣＤ−Ｒディスク２０１および記録可能なユーザ情報領域の最外周アドレス把握１０２と同様の処理であるため説明を省略する。
【００５５】
次に、第１のＬＥＡＤ−ＩＮ領域へ反回転フラグ記録５０３は、記録しようとするＣＤ−Ｒディスクが未記録である場合、本発明の第２の実施例における光ディスク記録方法を用いて記録したことを示すため、第１のＬＥＡＤ−ＩＮ領域６０４にオレンジブックに記載されていない識別コードを記録する。前記識別コードは、本発明の第２の実施例における光ディスク記録方法を用いて記録したことを示すものであり、オレンジブックに記載されておらず、かつ、本発明の第２の実施例における光ディスク記録方法を用いた光ディスク記録再生装置で認識できる識別コードであれば、任意の識別コードで良い。
【００５６】
次に、第２のＰＭＡおよびＬＥＡＤ−ＩＮ領域割り当て５０４は、前記第１のＬＥＡＤ−ＩＮ領域６０４へ反回転フラグ記録５０３において反転フラグを記録したＣＤ−Ｒディスクに対して、記録可能なユーザ情報領域の最外周アドレス把握５０２で把握した未記録最外周フレームアドレス３０１を第２ＰＭＡ６０１の開始フレームとして、ＣＤ−Ｒディスク最外周部に第２のＰＭＡ６０１、第２のＰＭＡ６０１に続く内周部へ第２のＬＥＡＤ−ＩＮ領域６０２、第２ＬＥＡＤ−ＩＮ領域６０２に続く内周部へプログラムエリア６０５を割り当てる処理である。
【００５７】
次に、光ディスク媒体反回転５０５は、図７に示すように、ＣＤ−Ｒディスクに加える回転方向をＣＤ−Ｒディスクに形成された螺旋状のトラックの外周から内周へトラック走査する方向へ回転させる処理である。このような回転をＣＤ−Ｒディスクに加えるには、スピンドルモータに与える駆動電流方向を、ＣＤ−Ｒディスクに形成された螺旋状のトラックの内周から外周へトラック走査する方向へ回転させるために与える駆動電流方向と逆にすれば良い。ここで、スピンドルモータとは、ＣＤ−Ｒディスクに回転を与えるための回転手段である。　次に、光ディスク媒体への記録５０６は、光ディスク媒体反回転５０５でＣＤ−Ｒディスクに加えた回転状態において、第２のＰＭＡおよびＬＥＡＤ−ＩＮ領域割り当て５０４で割り当てた第２のＰＭＡ６０１、第２のＬＥＡＤ−ＩＮ領域６０２にＴＯＣ、プログラムエリア６０５にユーザ情報を記録する処理である。
【００５８】
以上のように、本実施の形態２においては、ＣＤ−Ｒディスク２０１の回転方向をトラック外周から内周へ走査する方向に回転させ、ＣＤ−Ｒディスク２０１の外周部に配置した第２のＰＭＡ６０１、第２のＬＥＡＤ−ＩＮ領域６０２および、プログラムエリア６０５にＴＯＣ情報やユーザ情報を記録することによって、ＣＤ−Ｒディスク２０１に記録された情報をＣＡＶ再生で高速に再生することができる。
【００５９】
（実施の形態３）
図８は、本発明の第３の実施例における光ディスク再生方法の処理フローを示すものであり、図９は、本発明の第３の実施例における光ディスク再生方法において、欠陥を有する光ディスク媒体を再生した場合の光ディスク再生信号を示すものである。
【００６０】
図８において、光ディスク再生８０１は、光ディスク媒体の再生開始処理である。光ディスク媒体の欠陥検出８０２は、光ディスク媒体に付着した傷などの欠陥部分の検出である。欠陥有無判断８０３は、光ディスク媒体の欠陥検出８０２で行った欠陥検出の結果判断処理である。再生エラー８０４は、前記光ディスク再生８０１で開始した光ディスク再生処理のエラー判断処理である。光ディスク再生停止８０５は、前記光ディスク再生８０１で開始した光ディスク再生処理の停止処理である。光ディスク媒体反回転８０６は、光ディスク再生停止８０５までに行っていた光ディスク再生処理における光ディスク媒体回転方向と反対方向に光ディスク媒体を回転させる処理である。光ディスク再生再開８０７は、光ディスク媒体反回転８０６で変更した光ディスク媒体の回転方向における光ディスク再生処理である。光ディスク再生終了８０８は、光ディスク再生終了処理である。
【００６１】
図９において、順回転再生方向および反回転再生方向は、順回転再生信号および反回転再生信号が光ディスク媒体から再生される順序を示す。順回転再生信号および反回転再生信号は、光ディスク媒体から読み取ったアナログ再生信号である。順回転２値化信号および反回転２値化信号は、順回転再生信号および反回転再生信号をデジタル再生信号に変換したものである。順回転２値化信号および反回転２値化信号に記されたフレームは、誤り訂正符号の付加されたデータ列であり、括弧内に記載のＯＫおよびＮＧは、そのフレームの誤り訂正結果を示している。
【００６２】
図８に示す上記処理フローで図９に示すような欠陥を有する光ディスクの再生を行う光ディスク再生方法について、以下その動作、作用を説明する。
【００６３】
光ディスク再生８０１は、ユーザから要求のあった情報を光ディスク媒体から順回転方向で再生する処理である。ここで、以降の説明は、ユーザから再生要求のあった情報を図９に示すｎフレームからｎ＋２フレームとして説明する。したがって、光ディスク再生８０１は、ｎフレームのデータがら順回転方向で再生することになる。
【００６４】
光ディスク媒体の欠陥検出８０２は、図９に示す順回転再生信号の有無によって光ディスク媒体に付着した欠陥を検出するため、図９に示す欠陥区間に対して、欠陥影響区間を欠陥として検出する、すなわち、ｎ＋１フレームおよびｎ＋２フレームで欠陥を検出する。ここで、順回転再生信号は、光ディスクに記録することによって形成される所定長のピットの影響をうけ、所定の周波数帯域を持つ信号である。しかしながら、図９の欠陥影響区間における順回転再生信号は、欠陥区間の影響を受けて周波数成分が検出されず、また、周波数成分が検出されないことによって、順回転再生信号の周波数成分で制御される信号処理が影響を受けて欠陥影響区間が順回転方向に伸びる。したがって、光ディスク媒体の欠陥検出８０２における欠陥検出は、前記周波数成分の検出されない区間を欠陥とすることで検出可能である。
【００６５】
欠陥有無判断８０３は、前記光ディスク媒体の欠陥検出８０２によって欠陥が検出されるため、再生エラー８０４で順回転２値化信号に誤り訂正エラーが発生するか否かを判定する状態へ移行する。もし、図９に示す欠陥区間が存在しない場合、再生エラー８０４へ移行せず、光ディスク再生８０１で開始した光ディスク再生処理を続行する。
【００６６】
再生エラー８０４は、欠陥のあると判断されたｎ＋１フレームおよびｎ＋２フレームの順回転２値化信号に誤り訂正エラーが発生するか否かを判定する。図９において、再生エラー８０４は、ｎ＋１フレームおよびｎ＋２フレームに誤り訂正エラーが発生したことを検知し、光ディスク再生停止８０５へ遷移する。もし、図９に示すｎ＋１フレームおよびｎ＋２フレームに誤り訂正エラーが発生しなければ、光ディスク再生停止８０５へ移行せず、光ディスク再生８０１で開始した光ディスク再生処理を続行する。
【００６７】
光ディスク再生停止８０５は、順回転再生方向においてｎ＋２フレームまで再生後、光ディスク再生８０１で開始した光ディスク再生処理を停止すると共に、光ディスク媒体の順回転を停止する処理であり、前記処理終了後、光ディスク媒体反回転８０６へ移行する。
【００６８】
光ディスク媒体反回転８０６は、光ディスク媒体を前記順回転方向とは逆方向に回転させる処理である。前記処理終了後、光ディスク再生再開８０７へ移行する。
【００６９】
光ディスク再生再開８０７は、順回転再生処理で行ったｎフレームからｎ＋２フレームの再生を行う。ただし、反回転再生信号はｎ＋２フレームから再生されるため、ｎ＋２フレーム、ｎ＋１フレーム、ｎフレームの順に再生し、本発明の第３の実施例における光ディスク再生処理を終了する。ここで、反回転再生信号は、順回転再生信号と同様に、光ディスクに記録することによって形成される所定長のピットの影響をうけ、所定の周波数帯域を持つ信号である。したがって、反回転再生信号においては、欠陥区間に影響される欠陥影響区間は逆回転方向に伸びることとなり、順回転再生信号で再生できなかった欠陥影響区間の信号が再生可能となる。
【００７０】
以上のように、本実施の形態３においては、光ディスク媒体を順回転方向とは逆方向に回転させて再生することにより、光ディスク媒体に付着した欠陥に影響を受けて再生できないデータの再生が可能となる。また、順回転方向および反回転方向の光ディスク再生結果を組み合わせることで、再生能力の高い光ディスク再生方法が実現可能である。
【００７１】
【発明の効果】
以上のように、本発明の光ディスク記録方法によれば、記録トラック一周あたりの記録容量の大きい光ディスク外周部にユーザから記録要求のあった情報を記録可能となり、ＣＡＶ再生を行う光ディスク記録再生装置によって、光ディスク媒体に記録した情報を高速に再生することができる。また、本発明の光ディスク再生方法によれば、ディスク回転方向を変えることによって、光ディスクに付着した欠陥に影響を受けて再生できない情報を救済することができる。
【図面の簡単な説明】
【図１】本発明の実施の形態１における光ディスク記録方法の処理のフローチャート
【図２】本発明の実施の形態１における光ディスク記録方法で記録するためのＣＤ−Ｒディスク構成要素を示す図
【図３】本発明の実施の形態１における光ディスク記録方法で記録するためのＣＤ−Ｒディスク構成要素（既に記録されているＣＤ−Ｒディスク）を示す図
【図４】本発明の実施の形態１における光ディスク記録方法での記録済みＣＤ−Ｒディスク構成要素を示す図
【図５】本発明の実施の形態２における光ディスク記録方法の処理のフローチャート
【図６】本発明の実施の形態２における光ディスク記録方法で記録するＣＤ−Ｒディスク構成要素を示す図
【図７】本発明の実施の形態２における光ディスク記録方法のトラック走査方向を示す図
【図８】本発明の実施の形態３における光ディスク再生方法の処理のフローチャート
【図９】本発明の実施の形態３における光ディスク再生方法の光ディスク再生信号状態を説明するための図
【図１０】光ディスクのトラック形状を示す図
【図１１】従来の光ディスクの構成要素を示す図
【図１２】従来の光ディスクのトラック走査方向を示す図
【符号の説明】１０１　光ディスク媒体の情報把握
１０２　記録可能なユーザ情報領域の最外周アドレス把握
１０３　記録するユーザ情報内容および容量の把握
１０４　最外周を記録終了点とするユーザ情報領域への記録開始アドレスの算出
１０５　記録再生制御情報（ＬＥＡＤ−ＩＮ情報）の作成
１０６　記録再生制御情報およびユーザ情報の記録
２０１　ＣＤ−Ｒディスク
２０２　ＬＥＡＤ−ＩＮ領域の開始フレームアドレス
２０３　ＬＥＡＤ−ＯＵＴ領域の記録開始フレームアドレス
２０４　プログラムエリア先頭フレームアドレス
２０５　ＰＭＡ（Ｐｒｏｇｒａｍ　Ｍｅｍｏｒｙ　Ａｒｅａ）
２０６　ＬＥＡＤ−ＩＮ領域
２０７　プログラムエリア
３０１　未記録最外周フレームアドレス
３０２　プログラムエリア未記録フレーム数
３０３　プログラムエリアの記録部分
３０４　記録開始フレームアドレス
３０５　各情報のフレーム数の総和
４０１　パディングデータ
４０２　ユーザ情報記録部分
５０１　光ディスク媒体の情報把握
５０２　記録可能なユーザ情報領域の最外周アドレス把握
５０３　第１のＬＥＡＤ−ＩＮ領域へ反回転フラグ
５０４　第２のＰＭＡおよびＬＥＡＤ−ＩＮ領域割り当て
５０５　光ディスク媒体反回転
５０６　光ディスク媒体への記録
６０１　第２のＰＭＡ
６０２　第２のＬＥＡＤ−ＩＮ領域
６０３　第１のＰＭＡ
６０４　第１のＬＥＡＤ−ＩＮ領域
６０５　プログラムエリア
８０１　光ディスク再生
８０２　光ディスク媒体の欠陥検出
８０３　欠陥有無判断
８０４　再生エラー
８０５　光ディスク再生停止
８０６　光ディスク媒体反回転
８０７　光ディスク再生再開
８０８　光ディスク再生終了
【図１】
2004134022.tif 000003
【図２】
2004134022.tif 000004
【図３】
2004134022.tif 000005
【図４】
2004134022.tif 000006
【図５】
2004134022.tif 000007
【図６】
2004134022.tif 000008
【図７】
2004134022.tif 000009
【図８】
2004134022.tif 000010
【図９】
2004134022.tif 000011
【図１０】
2004134022.tif 000012
【図１１】
2004134022.tif 000013
【図１２】
2004134022.tif 000014